(57)【要約】【課題】既存のソケットにねじ込んで使用可能であり，電球もねじ込んで使用することができる扇風機機能を有するソケットを提供すること。【解決手段】電球をねじ込んで使用するソケットであって，ソケット１のソケット孔９に電気的に接続可能に螺合するネジ部１０と，ネジ部１０の下端に結合され，回転羽３０を持つ円筒状回転部材３１を伝動手段２５によって回転させるモーター部２０と，回転部材３１の内径部に固定され，電球がねじ込まれる補助ソケット４０とを含む。【選択図】図２
0003123221.tif 000002
【実用新案登録請求の範囲】
【請求項１】
電球をねじ込んで使用することが可能な扇風機機能を有するソケットにおいて：
電球を螺合可能なソケットのソケット孔に対し，電気的に接続が可能なように螺合するネジ部と；
前記ネジ部の下端に結合されており，伝動手段を介して，回転羽を有する円筒状回転部材を回転させるモーター部と；
前記円筒状回転部材の内径部に固定され，前記電球をねじ込むことが可能なように形成された補助ソケットと；
を含むことを特徴とする，扇風機機能を有するソケット。
【請求項２】
前記回転羽は，
円筒状回転部材との間に回動可能なヒンジを介して結合され，垂直に折り畳むことが可能なように構成されることを特徴とする，請求項１に記載の扇風機機能を有するソケット。
【請求項３】
前記モーター部は，
モーターを収容するハウジングと；
前記モーターの回転軸に連結されて，前記円筒状回転部材を回転させる前記伝動手段を構成するプーリー，およびプーリーベルトと；
前記回転部材が回転することが可能なように遊着されるベアリングと，
を含むことを特徴とする，請求項１に記載の扇風機機能を有するソケット。
【考案の詳細な説明】
【技術分野】
【０００１】
本考案は，電球がねじ込まれるソケットに関する。
【背景技術】
【０００２】
一般に，ソケットは，それにねじ込まれた電球を支持する機能を有するもので，多様なデザインのものが開発されている。一例として，図１に示すように，電球と接続する端子Ｔ１，Ｔ２を有するソケット孔９が形成されたソケット１と，前記ソケット１と螺合して上端で電線７を連結するカバー６と，カバー６の内部空間に設けられ，電線７を固定する電線ホルダー４と，前記電線ホルダー４が固定される電線ホルダーブロック５と，ソケット１の端子Ｔ１のオン／オフを切り換えるスイッチレバー８とからなる。
【０００３】
しかし，このような構成では，単純にねじ込まれた電球を支持する機能を提供するものであり，暑い夏季には，別の扇風機を具備しなければならない。従って，電球下で仕事をしたり，勉強をする場合には，電球の熱気のため，長く座っていることが難しいという実情がある。
【考案の開示】
【考案が解決しようとする課題】
【０００４】
そこで，本考案は，上記問題に鑑みてなされたものであり，本考案の目的とするところは，既存のソケットにねじ込んで使用可能であり，電球もねじ込んで使用することが可能な，新規かつ改良された扇風機機能を有するソケットを提供することにある。
【課題を解決するための手段】
【０００５】
上記課題を解決するために，本発明のある観点によれば，電球をねじ込んで使用する扇風機機能を有するソケットが提供される。また，該扇風機機能を有するソケットは，ソケットのソケット孔に対し，電気的に接続が可能なように螺合するネジ部と，ネジ部の下端に結合されており，伝動手段を介して，回転羽を有する円筒状回転部材を回転させるモーター部と，円筒状回転部材の内径部に固定され，電球をねじ込むことが可能なように形成された補助ソケットと，を含むことを特徴とする。
【０００６】
回転羽は，円筒状回転部材との間にヒンジを介して結合され，垂直に折り畳むことが可能なように構成されていてもよい。
【０００７】
モーター部は，モーターを収容するハウジングと，モーターの回転軸に連結されて，円筒状回転部材を回転させる伝動手段を構成するプーリー，およびプーリーベルトと，回転部材が回転することが可能なように遊着されるベアリングと，を含んでいてもよい。
【０００８】
より詳細には，本考案は，既存のソケットと結合可能なネジ部と，ネジ部の下側に取り付けられ，回転羽を持つモーター部と，モーター部の下側に取り付けられる補助ソケットとを含んでなる。すなわち，本考案は，電球をねじ込んで使用するソケットにおいて，ソケットのソケット孔に電気的に接続可能に螺合するネジ部と，ネジ部の下端に結合され，回転羽を持つ円筒状回転部材を伝動手段によって回転させるモーター部と，回転部材の内径部に固定され，電球がねじ込まれる補助ソケットとを含んでなる扇風機機能を有するソケットを提供する。かかる構成により，既存の電球用ソケットを利用して，扇風機による送風機能と電球が有する照明機能とを同時に提供することが可能になる。
【考案の効果】
【０００９】
以上説明したように本考案によれば，既存の電気ソケットに連結して使用することが可能な扇風機機能を有するソケットが提供される為，設置および使用が簡単である。また，補助ソケットを通じて電球をねじ込むことができる為，電気ソケットの機能が同時に提供される。さらに，回転部材に取り付けられた回転羽は，ヒンジを中心として折り畳むことが出来る為，移動時に占有する空間が小さくて済み，物流費用を低減することが出来る。
【考案を実施するための最良の形態】
【００１０】
以下に添付図面を参照しながら，本考案の好適な実施の形態について詳細に説明する。なお，本明細書及び図面において，実質的に同一の機能構成を有する構成要素については，同一の符号を付することにより重複説明を省略する。
【００１１】
図２は，本実施形態に係るソケットの断面図を示す。また，図３は，本実施形態に係るソケットの平面図を示す。さらに，図４は，本実施形態に係るソケットの結線図を示す。これら図に示すように，本実施形態による扇風機機能を有するソケットは，電球をねじ込んで使用するソケットであって，ソケット１のソケット孔９に電気的に接続可能に螺合するネジ部１０と，ネジ部１０の下端に結合され，回転羽３０を持つ円筒状回転部材３１を伝動手段２５によって回転させるモーター部２０と，回転部材３１の内径部に固定され，電球がねじ込まれる補助ソケット４０とを含んでなる。
【００１２】
なお，上記の下端とは，図２において，ネジ部１０からソケット孔４２に向かう方向における端部を示す。本実施形態に係る扇風機機能を有するソケットは，図１に示すような一般的な電球用のソケット１が有するソケット孔９に対して，ネジ部１０を螺合することにより，使用することができる。また，通常，一般的な電球用のソケット１は，図１に示すような上下の配置を有することが多い。そこで，本明細書においては，便宜上，ネジ部１０が上方，ソケット孔４２が下方に位置するものとして説明する。
【００１３】
回転羽３０は，円筒状回転部材３１の付近でヒンジ３２で結合され，垂直に折り畳まれるように構成される。つまり，回転羽３０は，円筒状回転部材３１の回動に伴って，回動するように接合されている。また，接合部分は，ヒンジ３２により形成されており，ヒンジ３２を軸にして，回転羽３０を折り畳むことが可能なように構成されている。
【００１４】
モーター部２０は，モーター２１を収容するハウジング２２と，モーター２１の回転軸２３に連結されて円筒状回転部材３１を回転させる伝動手段２５のプーリー２６およびプーリーベルト２７と，回転部材３１が回転可能に遊着されるベアリング２８とを含む。
【００１５】
また，モーター部２０は，端子Ｔ１０，Ｔ２０を通じて受けた交流電源を整流する整流部２４を含む。また，補助ソケット４０は，ソケット孔４２に電球と接触する端子Ｔ１１，Ｔ２１を有し，少なくとも一つの端子（例えば，Ｔ１１）のオン／オフを切り換える補助ソケットスイッチ４１が作動可能な位置に取り付けられている。
【００１６】
このように構成される本考案に係る実施形態は，図２のようなソケットを，例えば，図１のような既存のソケット１のソケット孔９に，ネジ部１０が螺合されるように，結合させる。すると，図４のように，既存のソケット１の端子Ｔ１，Ｔ２がネジ部１０の端子Ｔ１０，Ｔ２０と電気的に接続されて通電される。この状態で，図２に示す補助ソケットスイッチ４１をターンオンさせれば，ソケット孔４２にねじ込まれた電球４３（図４）に電気が供給されて電球が点灯される。
【００１７】
また，本実施形態は，電源が端子Ｔ１０，Ｔ２０を通じて整流部２４に印加され，整流部２４を経た直流電源はモーター２１を駆動させる。モーター２１の駆動力は回転軸２３を通じて出力され，回転軸２３の回転力は伝動手段２５を成すプーリー２６とプーリーベルト２７とを介して円筒状回転部材３１を回転させることになる。円筒状回転部材３１の下端外周には，ヒンジ３２によって折り畳まれる回転羽３０が遊着されているので，保管時には垂直に折り畳まれる。なお，使用時には自重によって水平に広がり，円筒状回転部材３１の回転力により回転羽３０を回転させる。
【００１８】
したがって，使用者は，電球ソケットにねじ込まれて一体になった補助ソケット４０に電球をねじ込んで，一般のソケット９の機能を維持するとともに，回転可能な回転羽３０を結合して扇風機としての機能を兼ねるようにする。
【００１９】
以上，添付図面を参照しながら本考案の好適な実施形態について説明したが，本考案は係る例に限定されないことは言うまでもない。当業者であれば，実用新案登録請求の範囲に記載された範疇内において，各種の変更例または修正例に想到し得ることは明らかであり，それらについても当然に本考案の技術的範囲に属するものと了解される。
【産業上の利用可能性】
【００２０】
本考案は，既存のソケットにねじ込んで使用可能であり，電球もねじ込んで使用することができる扇風機機能を有するソケットに適用可能である。
【図面の簡単な説明】
【００２１】
【図１】一般の電球用のソケットを示す一部切欠正面図である。
【図２】本実施形態に係る扇風機機能を有するソケットの断面図である。
【図３】本実施形態に係る扇風機機能を有するソケットの平面図である。
【図４】本実施形態に係る扇風機機能を有するソケットの結線例示図である。
【符号の説明】
【００２２】
１０    ネジ部
２０    モーター部
２１    モーター
２２    ハウジング
２３    回転軸
２５    伝動手段
２６    プーリー
２７    プーリーベルト
２８    ベアリング
３０    回転羽
３１    円筒状回転部材
３２    ヒンジ
４０    補助ソケット
４１    補助ソケットスイッチ
４２    ソケット孔
【図２】
0003123221.tif 000003
【図３】
0003123221.tif 000004
【図４】
0003123221.tif 000005
【図１】
0003123221.tif 000006